(57)【特許請求の範囲】
【請求項１】
蓋体と、該蓋体を受ける受枠とからなるマンホールの蓋構造であって、
前記蓋体の、略円板状の蓋本体部下面の外周端部にパッキン押え部を周設し、その内周側に、下方に突出する突起部を設けて構成し、
前記受枠の、略円筒状の受枠本体部の上面の外周端部に、前記蓋体のパッキン押え部が弾接するパッキンを周設すると共に、該パッキンの内周側に前記蓋体の突起部が摺接する筒状の摺接部を周設し、
該摺接部の、受枠を垂直に二分割する第一中心線と交わる部位に対して、第一中心線に直交する第二中心線と交わる部位を高くするように摺接部を略山形状とし、
前記摺接部の第一中心線と交わる部位に、前記蓋体の突起部が上方から嵌入する上面凹部を形成し、
施錠状態においては、突起部が上面凹部に嵌入し、パッキン押え部がパッキンに弾接するもので、
前記受枠の受枠本体部の上端に、前記蓋体の外周端部を下方から支持する下面筒部を設けると共に、その下面筒部から前記蓋体の外周側面を側方から支持する側面筒部を立設し、下面筒部の外周端部に、蓋体のパッキン押え部が弾接するパッキンを周設すると共に、当該下面筒部の内周端部を前記蓋体の突起部が摺接する摺接部とし、
前記突起部が、前記上面凹部に嵌入していない状態から、前記蓋体を回転させると、前記突起部は摺接部上を摺動して前記上面凹部に嵌入し、嵌入が完了した時点で、初めて前記パッキン押え部が前記パッキンに弾接するようにしたことを特徴とするマンホールの蓋構造。
【請求項２】
蓋体と、該蓋体を受ける受枠とからなるマンホールの蓋構造であって、
前記蓋体の、略円板状の蓋本体部下面の外周端部にパッキン押え部を周設し、その内周側に、下方に突出する突起部を設けると共に、各突起部に隣接して、ロック爪をスプリングによって外周端方向へ付勢するロック部を設けて構成し、
前記受枠の、略円筒状の受枠本体部の上面の外周端部に、前記蓋体のパッキン押え部が弾接するパッキンを周設すると共に、該パッキンの内周側に前記蓋体の突起部が摺接する摺接部を周設し、
該摺接部の、受枠を垂直に二分割する第一中心線と交わる部位に対して、第一中心線に直交する第二中心線と交わる部位を高くするように摺接部を略山形状とし、
前記摺接部の第一中心線と交わる部位に、前記蓋体の突起部が上方から嵌入する上面凹部を形成すると共に、前記受枠本体部の内周面に、前記蓋体に設けられたロック部のロック爪が内周面側から嵌入する側面凹部を形成し、
施錠状態においては、突起部が上面凹部に嵌入すると共に、ロック爪が側面凹部に嵌入し、パッキン押え部がパッキンに弾接するもので、
前記受枠の受枠本体部の上端に、前記蓋体の外周端部を下方から支持する下面筒部を設けると共に、その下面筒部から前記蓋体の外周側面を側方から支持する側面筒部を立設し、下面筒部の外周端部に、蓋体のパッキン押え部が弾接するパッキンを周設すると共に、当該下面筒部の内周端部を前記蓋体の突起部が摺接する摺接部とし、
前記突起部が、前記上面凹部に嵌入していない状態から、前記蓋体を回転させると、前記突起部は摺接部上を摺動して前記上面凹部に嵌入し、嵌入が完了した時点で、初めて前記パッキン押え部が前記パッキンに弾接するようにしたことを特徴とするマンホールの蓋構造。
【請求項３】
前記ロック爪の先端部下面にはＲ面が形成され、前記蓋体を前記受枠に載せた際に、前記ロック爪が容易に後退して前記受枠本体部の内周面に弾接できるようにし、かつ前記ロック爪の先端部片側面にもＲ面を形成し、前記蓋体を回転させている際に、容易に前記受枠本体部の内周面を摺動できるようにすると共に、
前記側面凹部にも傾斜面を形成し、前記ロック爪がこの傾斜面を摺動して容易に離脱できるようにしたことを特徴とする請求項２に記載のマンホールの蓋構造。
【発明の詳細な説明】
【０００１】
【発明の属する技術分野】
本発明は、マンホールの開口部を閉塞する蓋体と、当該蓋体を下から受ける受枠とから構成されるマンホールの蓋構造に関するものである。
【０００２】
【従来の技術】
一般に、マンホールの蓋構造は蓋体とそれを受ける受枠とから構成され、蓋体を受枠上に載せた状態で回転させて所定の位置で施錠状態とする回転式と、蓋体をあらかじめ施錠状態となる位置に合わせた状態で受枠上に載せる非回転式とがある。
【０００３】
回転式は、重量の嵩む蓋体を任意の位置で受枠上に載せ、回転することによって施錠状態とすることができるので、非回転式と比較して、力をあまり加える必要がないといった大きな利点を有する。
【０００４】
【発明が解決しようとする課題】
しかしながら、この回転式のマンホール蓋構造は、蓋体を施錠状態になるまで回転させる必要があるので、当該蓋体の下面が、受枠に設けたパッキンの上面を摺動することになる。
その結果、パッキンの上面が摩耗して場合によっては破損して、蓋体と受枠との間のシール性が低下し、当該部分から雨水等の侵入を許してしまうといった問題が発生する。
【０００５】
また、蓋体を施錠状態になるまで回転させる際に、蓋体の下面がパッキンの上面を摺動するので、その摩擦抵抗によって蓋体の回転に必要以上に大きな力を必要とし、蓋体の取付け作業が厄介であるといった問題もある。
さらに、蓋体を施錠状態になるまでにはどちらの方向にどれくらい回転させればよいか瞬時にわかれば取付け作業を効率的に行うことができる。
【０００６】
そこで、本発明の目的とするところは、蓋体を、受枠に設けたパッキンを摩耗させることなく、しかも小さな力で容易にかつ迅速に取付けて施錠状態にすることのできるマンホールの蓋構造を提供することにある。
【０００７】
【課題を解決するための手段】
上記の目的を達成するために、本発明の請求項１に記載の発明は、蓋体（１）と、その蓋体（１）を受ける受枠（１０）とからなるマンホールの蓋構造であって、蓋体（１）の、略円板状の蓋本体部（２）下面の外周端部にパッキン押え部（３）を周設し、その内周側に、下方に突出する突起部（４）を設けて構成し、受枠（１０）の、略円筒状の受枠本体部（１１）の上面の外周端部に、蓋体（１）のパッキン押え部（３）が弾接するパッキン（１４）を周設すると共に、パッキン（１４）の内周側に蓋体（１）の突起部（４）が摺接する筒状の摺接部（１５）を周設し、摺接部（１５）の、受枠（１０）を垂直に二分割する第一中心線（１Ｌ）と交わる部位（Ｎ）に対して、第一中心線（１Ｌ）に直交する第二中心線（２Ｌ）と交わる部位（Ｔ）を高くするように摺接部（１５）を略山形状とし、摺接部（１５）の第一中心線（１Ｌ）と交わる部位（Ｎ）に、蓋体（１）の突起部（４）が上方から嵌入する上面凹部（１６）を形成し、施錠状態においては、突起部（４）が上面凹部（１６）に嵌入し、パッキン押え部（３）がパッキン（１４）に弾接するもので、受枠（１０）の受枠本体部（１１）の上端に、蓋体（１）の外周端部を下方から支持する下面筒部（１２）を設けると共に、その下面筒部（１２）から蓋体（１）の外周側面を側方から支持する側面筒部（１３）を立設し、下面筒部（１２）の外周端部に、蓋体（１）のパッキン押え部（３）が弾接するパッキン（１４）を周設すると共に、下面筒部（１２）の内周端部を蓋体（１）の突起部（４）が摺接する摺接部（１５）とし、突起部（４）が、上面凹部（１６）に嵌入していない状態から、蓋体（１）を回転させると、突起部（４）は摺接部上を摺動して前記上面凹部に嵌入し、嵌入が完了した時点で、初めて前記パッキン押え部（３）がパッキン（１４）に弾接するようにしたことを特徴とする。
【０００８】
また本発明の請求項２に記載の発明は、蓋体（１）と、その蓋体（１）を受ける受枠（１０）とからなるマンホールの蓋構造であって、蓋体（１）の、略円板状の蓋本体部（２）下面の外周端部にパッキン押え部（３）を周設し、その内周側に、下方に突出する突起部（４）を設けると共に、各突起部（４）に隣接して、ロック爪（５ａ）をスプリング（５ｂ）によって外周端方向へ付勢するロック部（５）を設けて構成し、受枠（１０）の、略円筒状の受枠本体部（１１）の上面の外周端部に、蓋体（１）のパッキン押え部（３）が弾接するパッキン（１４）を周設すると共に、パッキン（１４）の内周側に蓋体（１）の突起部（４）が摺接する摺接部（１５）を周設し、摺接部（１５）の、受枠（１０）を垂直に二分割する第一中心線（１Ｌ）と交わる部位（Ｎ）に対して、第一中心線（１Ｌ）に直交する第二中心線（２Ｌ）と交わる部位（Ｔ）を高くするように摺接部（１５）を略山形状とし、摺接部（１５）の第一中心線（１Ｌ）と交わる部位（Ｎ）に、蓋体（１）の突起部（４）が上方から嵌入する上面凹部（１６）を形成すると共に、受枠本体部（１１）の内周面に、蓋体（１）に設けられたロック部（５）のロック爪（５ａ）が内周面側から嵌入する側面凹部（１７）を形成し、施錠状態においては、突起部（４）が上面凹部（１６）に嵌入すると共に、ロック爪（５ａ）が側面凹部（１７）に嵌入し、パッキン押え部（３）がパッキン（１４）に弾接するもので、受枠（１０）の受枠本体部（１１）の上端に、蓋体（１）の外周端部を下方から支持する下面筒部（１２）を設けると共に、その下面筒部（１２）から蓋体（１）の外周側面を側方から支持する側面筒部（１３）を立設し、下面筒部（１２）の外周端部に、蓋体（１）のパッキン押え部（３）が弾接するパッキン（１４）を周設すると共に、下面筒部（１２）の内周端部を蓋体（１）の突起部（４）が摺接する摺接部（１５）とし、突起部（４）が、上面凹部（１６）に嵌入していない状態から、蓋体（１）を回転させると、突起部（４）は摺接部上を摺動して前記上面凹部に嵌入し、嵌入が完了した時点で、初めて前記パッキン押え部（３）がパッキン（１４）に弾接するようにしたことを特徴とする。
【０００９】
さらに、請求項３に記載の発明は、ロック爪（５ａ）の先端部下面にはＲ面が形成され、蓋体（１）を受枠（１０）に載せた際に、ロック爪（５ａ）が容易に後退して受枠本体部（１１）の内周面に弾接できるようにし、かつロック爪（５ａ）の先端部片側面にもＲ面を形成し、蓋体（１）を回転させている際に、容易に受枠本体部（１１）の内周面を摺動できるようにすると共に、側面凹部（１７）にも傾斜面（１７ａ）を形成し、ロック爪（５ａ）がこの傾斜面（１７ａ）を摺動して容易に離脱できるようにしたことを特徴とする。
【００１０】
なお、カッコ内の記号は図面および後述する発明の実施の形態に記載された対応要素または対応事項を示す。
【００１１】
本発明の請求項１に記載のマンホールの蓋構造によれば、受枠の受枠本体部の上面の外周端部にパッキンを周設すると共に、パッキンの内周側に蓋体の突起部が摺接する摺接部を周設し、さらに、その摺接部を、受枠を垂直に二分割する第一中心線と交わる部位に対して、第一中心線に直交する第二中心線と交わる部位を高くするように略山形状としているので、蓋体を施錠状態にする際及び解錠状態にする際にパッキンを摩耗させてしまうことがない。
【００１２】
すなわち、蓋体を位置合せを行わず任意の状態で受枠上に載せると、蓋体の突起部下面は、受枠の摺接部上面に当接する。この状態では、突起部は上面凹部に嵌入していないため、蓋体は受枠から浮いた状態となり、パッキン押え部もパッキンに弾接していない。係る状態から蓋体を回転させると、突起部は摺接部上を摺動して上面凹部に嵌入し、嵌入が完了した時点で、初めてパッキン押え部がパッキンに弾接する。
従って、パッキン押え部がパッキン上を摺動することがないので、パッキンは摩耗しない。
【００１３】
なお、突起部を摺接部に摺動させている状態において、摺接部は略山形状に形成されているので、突起部は摺接部の傾斜面を下りながら低いところに位置する上面凹部まで達することができる。突起部が上面凹部に達すると蓋体の左右方向（回転方向）への動きが規制（ロック）される。
従って、より小さな力で蓋体を回転させることができ、容易に施錠状態とすることができる。つまり、受枠に対する蓋体の高さが低くなる方向に蓋体を回転させれば施錠状態にすることができる。
また、蓋体のパッキン押え部が弾接するパッキンが、受枠の受枠本体部の上端に設けられた下面筒部の外周端部に周設され、しかも下面筒部と側面筒部によって蓋体の外周端部は下方からも側面からも支持されるので、施錠状態で蓋体は受枠に安定化する。
【００１４】
また請求項２に記載の発明によれば、請求項１に記載の発明の作用効果に加えて、突起部が摺接部上を摺動している状態では、ロック爪がスプリングに抗して後退し、その先端部が受枠本体部の内周面を摺動し、突起部が上面凹部に嵌入すると同時に側面凹部に嵌入し、施錠状態を形成する。すなわち、蓋体が上方向に浮いて外れることが防止される。また、この状態で、パッキン押え部がパッキンに弾接し、蓋体と受枠との間のシール性が良好に維持される。
【００１５】
さらに請求項３に記載の発明によれば、請求項２に記載の発明の作用効果に加えて、ロック爪の先端部下面にＲ面を形成することで、蓋体を受枠に載せた際に、ロック爪が容易に後退して受枠本体部の内周面に弾接できる。またつロック爪の先端部片側面にもＲ面を形成することで、蓋体を回転させている際に、容易に受枠本体部の内周面を摺動することができる。さらに、側面凹部にも傾斜面を形成することで、ロック爪がこの傾斜面を摺動して容易に離脱することができる。
【００１６】
【発明の実施の形態】
図１乃至図１３を参照して、本発明の実施形態に係るマンホールの蓋構造について説明する。図１は本発明の実施形態に係るマンホールの蓋構造を示す平面図であり、図２は図１におけるＡ−Ａ線断面図、図３は図１におけるＢ−Ｂ線断面図である。なお、図１において左半分は蓋体１が取付けられた状態、右半分は蓋体１が取付けられていない状態を示す。また、図４は本発明の実施形態に係るマンホールの蓋構造の受枠１０を示す平面図であり、図５は図４におけるＣ−Ｃ線断面図、図６は図４におけるＤ−Ｄ線断面図である。さらに図７は本発明の実施形態に係るマンホールの蓋構造の蓋体１を示す平面図であり、図８は図７におけるＥ−Ｅ線断面図、図９は図７におけるＦ−Ｆ線断面図、図１０は図７におけるＧ−Ｇ線断面図である。図１１は図７に示す蓋体１の裏面図である。また、図１２は本発明の実施形態に係るマンホールの蓋構造のロック部５を示す平面図であり、図１３は図１２に示すロック部５の正面断面図である。
【００１７】
本発明の実施形態に係るマンホールの蓋構造は、蓋体１と、当該蓋体１を受ける受枠１０とから構成される。
蓋体１は、略円板状の蓋本体部２下面の外周端部にパッキン押え部３を下方に突周設し、その内周側の左右両側端部、すなわち内周側で蓋体１の中心（円の中心）に対して左右対象な二個所に、下方に突出する突起部４を設けて構成している。また、各突起部４に隣接して、ロック爪５ａをスプリング５ｂによって外周端方向へ付勢するロック部５を設けている。
【００１８】
受枠１０は、略円筒状の受枠本体部１１の上端に、蓋体１の外周端部を下方から支持する下面筒部１２を設けると共に、その下面筒部１２から蓋体１の外周側面を側方から支持する側面筒部１３を立設して構成している。また、下面筒部１２の外周端部に、蓋体１のパッキン押え部３が弾接するパッキン１４を周設すると共に、当該下面筒部１２の内周端部を蓋体１の突起部４が摺接する摺接部１５としている。
そして、この摺接部１５を、受枠１０を垂直に二分割する第一中心線１Ｌとその受枠１０が交わる部位Ｎに対して、第一中心線１Ｌに直交し同じく受枠１０を垂直に二分割する第二中心線２Ｌと交わる部位Ｔを高くするような略山形状としている。
【００１９】
さらに、当該摺接部１５の第一中心線１Ｌと交わる部位Ｎに、蓋体１の突起部４が上方から嵌入する上面凹部１６を形成すると共に、受枠本体部１１の内周面に、蓋体１に設けられたロック部５のロック爪５ａが内周面側から嵌入する側面凹部１７を形成している。
そして、施錠状態においては、突起部４が上面凹部１６に嵌入すると共に、ロック爪５ａが側面凹部１７に嵌入し、パッキン押え部３がパッキン１４に上から弾接するようにしている。
【００２０】
このマンホールの蓋構造において、蓋体１は次のようにして取付ける。
まず、蓋体１を、その二つの突起部４が受枠１０の摺接部１５上に上載される状態で当該受枠１０に載せる。この状態では、蓋体１の突起部４は上面凹部１６に嵌入していないため、当該蓋体１は受枠１０から浮いた状態となり、パッキン押え部３もパッキン１４に弾接していない。
【００２１】
次に、蓋体１を回転させる。これにより、突起部４は摺接部１５上を摺動して上面凹部１６に嵌入し、その結果、蓋体１の左右方向（回転方向）の動きが規制（ロック）される。この際、摺接部１５は略山形状に傾斜しているので、突起部４は摺接部１５上を滑り降りるように摺動し上面凹部１６に小さな回転力で案内される。突起部４が上面凹部１６に嵌入することで蓋体１が下へ落ちるようにして移動し、これによりパッキン押え部３がパッキン１４に弾接する。
この弾接によって、蓋体１と受枠１０との間のシール性が確保される。ここで、蓋体１が回転している間は、突起部４が摺接部１５上を摺動するのみで、パッキン押え部３はパッキン１４に摺接しない。従って、パッキン１４の摩耗を回避することができる。
【００２２】
なお、突起部４が摺接部１５上を摺動している状態では、ロック爪５ａはスプリング５ｂに抗して後退し、その先端部が受枠本体部１１の内周面を摺動する。そして、突起部４が上面凹部１６に嵌入すると同時にスプリング５ｂの弾力によって側面凹部１７に嵌入し、施錠状態を形成する。これにより、蓋体１が上方向に浮くことが防止される。
【００２３】
蓋体１を受枠１０から外すには、蓋体１を持上げ、突起部４を上面凹部１６から抜き出すようにして当該蓋体１を回転させる。
これによって、ロック爪５ａがスプリング５ｂに抗して後退しながら側面凹部１７から離脱し、施錠状態が解除される。蓋体１を回転させる状態では、突起が摺接部１５に上載し、パッキン押え部３がパッキン１４から離脱しているので、パッキン１４が摩耗することがない。
【００２４】
本実施形態におけるロック部５は、ロック爪５ａとスプリング５ｂをカバー５ｃに収納して構成している。また、ロック爪５ａの先端部下面はＲ面とし、蓋体１を受枠１０に載せた際に、当該ロック爪５ａが容易に後退して受枠本体部１１の内周面に弾接できるようにしている。また、当該ロック爪５ａの先端部片側面もＲ面とし、蓋体１を回転させている際に、容易に受枠本体部１１の内周面を摺動できるようにすると共に、側面凹部１７からも容易に離脱させることができるように設定している。なお、側面凹部１７に傾斜面１７ａを形成し、ロック爪５ａがこの傾斜面１７ａを摺動して離脱できるようにしている。
【００２５】
なお本実施形態では、上面凹部１６に嵌入する突起部４を蓋体１の左右対象な二個所に設けたが、一個所でも十分であり、より構成が簡素化される。
【００２６】
【発明の効果】
以上のとおり本発明の請求項１に記載のマンホールの蓋構造によれば、受枠の受枠本体部の上面の外周端部にパッキンを周設すると共に、パッキンの内周側に蓋体の突起部が摺接する摺接部を周設し、さらに、その摺接部を、受枠を垂直に二分割する第一中心線と交わる部位に対して、第一中心線に直交する第二中心線と交わる部位を高くするように略山形状としているので、蓋体を施錠状態にする際及び解錠状態にする際にパッキンを摩耗させてしまうことがない。
従って、蓋体と受枠との間のシール性を長期にわたって確実に確保することができ、雨水等のマンホールへの侵入を未然に阻止することができる。
また、蓋体のパッキン押え部が弾接するパッキンが、受枠の受枠本体部の上端に設けられた下面筒部の外周端部に周設され、しかも下面筒部と側面筒部によって蓋体の外周端部は下方からも側面からも支持されるので、施錠状態で蓋体は受枠に安定化する。
【００２７】
また請求項２に記載の発明によれば、請求項１に記載の発明の作用効果に加えて、突起部が摺接部上を摺動している状態では、スプリングに抗して後退していたロック爪が、突起部が上面凹部に嵌入すると同時に側面凹部に嵌入し、施錠状態を形成するので、蓋体が上方向に浮いて外れることが確実に防止される。また、この状態で、パッキン押え部がパッキンに弾接し、蓋体と受枠との間のシール性が良好に維持される。
【００２８】
さらに請求項３に記載の発明によれば、請求項２に記載の発明の作用効果に加えて、ロック爪の先端部下面にＲ面を形成することで、蓋体を受枠に載せた際に、ロック爪が容易に後退して受枠本体部の内周面に弾接できる。またつロック爪の先端部片側面にもＲ面を形成することで、蓋体を回転させている際に、容易に受枠本体部の内周面を摺動することができる。さらに、側面凹部にも傾斜面を形成することで、ロック爪がこの傾斜面を摺動して容易に離脱することができる。
【図面の簡単な説明】
【図１】本発明の実施形態に係るマンホールの蓋構造を示す平面図である。
【図２】図１におけるＡ−Ａ線断面図である。
【図３】図１におけるＢ−Ｂ線断面図である。
【図４】本発明の実施形態に係るマンホールの蓋構造の受枠を示す平面図である。
【図５】図４におけるＣ−Ｃ線断面図である。
【図６】図４におけるＤ−Ｄ線断面図である。
【図７】本発明の実施形態に係るマンホールの蓋構造の蓋体を示す平面図である。
【図８】図７におけるＥ−Ｅ線断面図である。
【図９】図７におけるＦ−Ｆ線断面図である。
【図１０】図７におけるＧ−Ｇ線断面図である。
【図１１】図７に示す蓋体の裏面図である。
【図１２】本発明の実施形態に係るマンホールの蓋構造のロック部を示す平面図である。
【図１３】図１２に示すロック部の正面断面図である。
【符号の説明】
１      蓋体
２      蓋本体部
３      パッキン押え部
４      突起部
５      ロック部
５ａ    ロック爪
５ｂ    スプリング
５ｃ    カバー
１０      受枠
１１      受枠本体部
１２      下面筒部
１３      側面筒部
１４      パッキン
１５      摺接部
１６      上面凹部
１７      側面凹部
１７ａ    傾斜面
１Ｌ      第一中心線
２Ｌ      第二中心線
Ｎ      部位
Ｔ      部位
【図１】
0003564385.tif 000002
【図２】
0003564385.tif 000003
【図３】
0003564385.tif 000004
【図４】
0003564385.tif 000005
【図５】
0003564385.tif 000006
【図６】
0003564385.tif 000007
【図７】
0003564385.tif 000008
【図８】
0003564385.tif 000009
【図９】
0003564385.tif 000010
【図１０】
0003564385.tif 000011
【図１１】
0003564385.tif 000012
【図１２】
0003564385.tif 000013
【図１３】
0003564385.tif 000014